(57)【要約】【課題】  一覧表示された画面を見るだけで画像の内容を容易に把握することが可能な映像表示方法及び映像表示装置を提供する。【解決手段】  特徴検出手段１２がコンテンツの音声信号の第１及び第２の物理的特徴データを検出し、その検出タイミングにて代表画像抽出手段１３が代表画像データを抽出する一方、第１の記憶手段１５には複数の画像サイズデータを、第２の記憶手段１６には複数の色データをそれぞれ記憶させておき、画像加工手段１７は検出された第１の物理的特徴データに応じて第１の記憶手段から１つの画像サイズデータを取得して代表画像データを縮小するとともに、第２の記憶手段から１つの色データを取得してこの色データで所定の画像枠形状データを色付けして画像枠付きサムネイル画像を生成し、画像合成手段１８が生成された画像枠付きサムネイル画像を一覧画面とするためにメモリ手段に記憶させる。【選択図】  図１
2006340226.tif 000002
【特許請求の範囲】
【請求項１】
映像信号と音声信号とからなる複数のコンテンツから、それぞれ生成された複数のサムネイル画像を一覧画面としてメモリ手段に記憶し、この記憶されたサムネイル画像の一覧画面を表示手段に表示する映像表示方法において、
前記コンテンツの音声信号から、第１及び第２の物理的特徴データを検出するステップと、
前記第１の物理的特徴データに対応付けてあらかじめ与えられた複数の画像サイズデータの中から、前記検出された第１の物理的特徴データに応じた１つの画像サイズデータを選択するステップと、
前記第２の物理的特徴データに対応付けてあらかじめ与えられた複数の色データの中から、前記検出された第２の物理的特徴データに応じた１つの色データを選択するステップと、
前記コンテンツの映像信号から、前記第１及び第２の物理的特徴データが検出されたタイミングに応じた所定の代表画像データを抽出するステップと、
前記抽出された代表画像データを、前記選択された１つの画像サイズデータに対応させて縮小するステップと、
前記縮小された代表画像データに、前記選択された１つの色データで色付けされた画像枠形状データを組み合わせて画像枠付きサムネイル画像を生成するステップと、
前記生成された画像枠付きサムネイル画像を一覧画面として構成するために前記メモリ手段に記憶するステップとを有し、
前記メモリ手段に記憶された画像枠付きサムネイル画像の一覧画面を前記表示手段に表示するようにしたことを特徴とする映像表示方法。
【請求項２】
映像信号と音声信号とからなる複数のコンテンツから、それぞれ生成された複数のサムネイル画像を一覧画面としてメモリ手段に記憶し、この記憶されたサムネイル画像の一覧画面を表示手段に表示する映像表示方法において、
前記コンテンツの音声信号から、第１及び第２の物理的特徴データを検出するステップと、
前記第１の物理的特徴データに対応付けてあらかじめ与えられた複数の画像枠形状データの中から、前記検出された第１の物理的特徴データに応じた１つの画像枠形状データを選択するステップと、
前記第２の物理的特徴データに対応付けてあらかじめ与えられた複数の色データの中から、前記検出された第２の物理的特徴データに応じた１つの色データを選択するステップと、
前記コンテンツの映像信号から、前記第１及び第２の物理的特徴データが検出されたタイミングに応じた所定の代表画像データを抽出するステップと、
前記抽出された代表画像データを、前記選択された１つの画像枠形状データに対応させて縮小するステップと、
前記選択された１つの色データで前記選択された１つの画像枠形状データを色付けして、前記縮小された代表画像データに前記色付けされた画像枠形状データを組み合わせて画像枠付きサムネイル画像を生成するステップと、
前記生成された画像枠付きサムネイル画像を一覧画面として構成するために前記メモリ手段に記憶するステップとを有し、
前記メモリ手段に記憶された画像枠付きサムネイル画像の一覧画面を前記表示手段に表示するようにしたことを特徴とする映像表示方法。
【請求項３】
映像信号と音声信号とからなる複数のコンテンツから、それぞれ生成された複数のサムネイル画像を一覧画面としてメモリ手段に記憶し、この記憶されたサムネイル画像の一覧画面を表示手段に表示する映像表示装置において、
前記コンテンツの音声信号から、第１及び第２の物理的特徴データを検出する特徴検出手段と、
前記コンテンツの映像信号から、前記第１及び第２の物理的特徴データが検出されたタイミングに応じた所定の代表画像データを抽出する代表画像抽出手段と、
前記第１の物理的特徴データに関連付けられた複数の画像サイズデータがあらかじめ記憶された第１の記憶手段と、
前記第２の物理的特徴データに関連付けられた複数の色データがあらかじめ記憶された第２の記憶手段と、
前記検出された第１の物理的特徴データに応じて前記第１の記憶手段から１つの画像サイズデータを取得し、この画像サイズデータに対応させて前記抽出された代表画像データを縮小するとともに、前記検出された第２の物理的特徴データに応じて前記第２の記憶手段から１つの色データを取得してこの色データで所定の画像枠形状データを色付けし、この色付けされた画像枠形状データを前記縮小された代表画像データに組み合わせて画像枠付きサムネイル画像を生成する画像加工手段と、
前記生成された画像枠付きサムネイル画像を一覧画面として構成するために前記メモリ手段に記憶する画像合成手段とを備え、
前記メモリ手段に記憶された画像枠付きサムネイル画像の一覧画面を前記表示手段に表示するように構成したことを特徴とする映像表示装置。
【請求項４】
映像信号と音声信号とからなる複数のコンテンツから、それぞれ生成された複数のサムネイル画像を一覧画面としてメモリ手段に記憶し、この記憶されたサムネイル画像の一覧画面を表示手段に表示する映像表示装置において、
前記コンテンツの音声信号から、第１及び第２の物理的特徴データを検出する特徴検出手段と、
前記コンテンツの映像信号から、前記第１及び第２の物理的特徴データが検出されたタイミングに応じた所定の代表画像データを抽出する代表画像抽出手段と、
前記第１の物理的特徴データに関連付けられた複数の画像枠形状データがあらかじめ記憶された第１の記憶手段と、
前記第２の物理的特徴データに関連付けられた複数の色データがあらかじめ記憶された第２の記憶手段と、
前記検出された第１の物理的特徴データに応じて前記第１の記憶手段から１つの画像枠形状データを取得し、この画像枠形状データに対応させて前記抽出された代表画像データを縮小するとともに、前記検出された第２の物理的特徴データに応じて前記第２の記憶手段から１つの色データを取得してこの色データで前記取得された画像枠形状データを色付けし、この色付けされた画像枠形状データを前記縮小された代表画像データに組み合わせて画像枠付きサムネイル画像を生成する画像加工手段と、
前記生成された画像枠付きサムネイル画像を一覧画面として構成するために前記メモリ手段に記憶する画像合成手段とを備え、
前記メモリ手段に記憶された画像枠付きサムネイル画像の一覧画面を前記表示手段に表示するように構成したことを特徴とする映像表示装置。
【発明の詳細な説明】
【技術分野】
【０００１】
本発明は、例えばＤＶＤなどの記録媒体上に記録された映像信号及び音声信号を一組とする複数のコンテンツから、そのコンテンツを代表するサムネイル画像（圧縮静止画像）を生成して表示する映像表示方法及びこの方法を実施する映像表示装置に関する。
【背景技術】
【０００２】
近年ハードディスクに映像と音声を記録するハードディスクレコーダ（以下、ＨＤＲと略記する）が広く用いられている。ＨＤＲでは映像をＭＰＥＧ−２ビデオ（Moving Picture Experts Group Phase 2 Video）などの方式で圧縮し、音声をＭＰＥＧ−１オーディオ（Moving Picture Experts Group Phase 1 Audio）などの方式で圧縮してハードディスクドライブ（以下、ＨＤＤと略記する）やＤＶＤなどに記録している。映像及び音声は録画を開始してから終了するまでを１つのファイルとして記録し、開始／終了を繰り返すごとにファイルが１つずつ作られる。
【０００３】
このように複数のファイルを記録したＨＤＲや、ＤＶＤなど複数のファイルが書き込まれた光ディスクのような複数の映像・音声ファイルを再生する映像表示装置では、視聴したい画像を探すのにそれぞれのファイルを代表する縮小画像、すなわちサムネイル画像を表示装置の画面上に一覧表示することが多い。図１１はその一例を示したもので、サムネイル画像１００１、１００２、１００３が１つの表示画面１０００上に横に並べて表示されている。
【０００４】
このようなサムネイル画像を表示するに当たり、複数の通常サイズの画像データに対応する複数のサムネイル画像データを検索可能に記憶し、選択的に配置された複数の縮小画像データを表示装置に出力する装置が開示されている（例えば、下記の特許文献１参照）。また、サムネイル画像の基になる映像情報の位置をユーザに指定させる位置指定手段を備えた装置も開示されている（例えば、下記の特許文献２参照）。
【特許文献１】特公平３−３２９５１号公報（第２頁右欄第１８行〜２６行）
【特許文献２】特開２００３−３２５８１号公報（段落００１０）
【発明の開示】
【発明が解決しようとする課題】
【０００５】
しかしながら、上述した従来の装置で一覧表示されたサムネイル画像は、記録媒体に記録された画像のある瞬間の画像にすぎず、記録媒体に記録された画像の特徴を表すものではなかったために、画像の内容が把握しにくいという問題があった。
【０００６】
本発明は、上記の課題を解決するためになされたもので、その目的は、一覧表示された画面を見るだけで画像の内容を容易に把握することが可能な映像表示方法及びこの方法を実施する映像表示装置を提供することにある。
【課題を解決するための手段】
【０００７】
上記の目的を達成するために、本発明は、映像信号と音声信号とからなる複数のコンテンツから、それぞれ生成された複数のサムネイル画像を一覧画面としてメモリ手段に記憶し、この記憶されたサムネイル画像の一覧画面を表示手段に表示する映像表示方法において、
前記コンテンツの音声信号から、第１及び第２の物理的特徴データを検出するステップと、
前記第１の物理的特徴データに対応付けてあらかじめ与えられた複数の画像サイズデータの中から、前記検出された第１の物理的特徴データに応じた１つの画像サイズデータを選択するステップと、
前記第２の物理的特徴データに対応付けてあらかじめ与えられた複数の色データの中から、前記検出された第２の物理的特徴データに応じた１つの色データを選択するステップと、
前記コンテンツの映像信号から、前記第１及び第２の物理的特徴データが検出されたタイミングに応じた所定の代表画像データを抽出するステップと、
前記抽出された代表画像データを、前記選択された１つの画像サイズデータに対応させて縮小するステップと、
前記縮小された代表画像データに、前記選択された１つの色データで色付けされた画像枠形状データを組み合わせて画像枠付きサムネイル画像を生成するステップと、
前記生成された画像枠付きサムネイル画像を一覧画面として構成するために前記メモリ手段に記憶するステップとを有し、
前記メモリ手段に記憶された画像枠付きサムネイル画像の一覧画面を前記表示手段に表示するようにしたことを特徴とする。
【０００８】
また、本発明は、映像信号と音声信号とからなる複数のコンテンツから、それぞれ生成された複数のサムネイル画像を一覧画面としてメモリ手段に記憶し、この記憶されたサムネイル画像の一覧画面を表示手段に表示する映像表示方法において、
前記コンテンツの音声信号から、第１及び第２の物理的特徴データを検出するステップと、
前記第１の物理的特徴データに対応付けてあらかじめ与えられた複数の画像枠形状データの中から、前記検出された第１の物理的特徴データに応じた１つの画像枠形状データを選択するステップと、
前記第２の物理的特徴データに対応付けてあらかじめ与えられた複数の色データの中から、前記検出された第２の物理的特徴データに応じた１つの色データを選択するステップと、
前記コンテンツの映像信号から、前記第１及び第２の物理的特徴データが検出されたタイミングに応じた所定の代表画像データを抽出するステップと、
前記抽出された代表画像データを、前記選択された１つの画像枠形状データに対応させて縮小するステップと、
前記選択された１つの色データで前記選択された１つの画像枠形状データを色付けして、前記縮小された代表画像データに前記色付けされた画像枠形状データを組み合わせて画像枠付きサムネイル画像を生成するステップと、
前記生成された画像枠付きサムネイル画像を一覧画面として構成するために前記メモリ手段に記憶するステップとを有し、
前記メモリ手段に記憶された画像枠付きサムネイル画像の一覧画面を前記表示手段に表示するようにしたことを特徴とする。
【０００９】
また、本発明は、映像信号と音声信号とからなる複数のコンテンツから、それぞれ生成された複数のサムネイル画像を一覧画面としてメモリ手段に記憶し、この記憶されたサムネイル画像の一覧画面を表示手段に表示する映像表示装置において、
前記コンテンツの音声信号から、第１及び第２の物理的特徴データを検出する特徴検出手段と、
前記コンテンツの映像信号から、前記第１及び第２の物理的特徴データが検出されたタイミングに応じた所定の代表画像データを抽出する代表画像抽出手段と、
前記第１の物理的特徴データに関連付けられた複数の画像サイズデータがあらかじめ記憶された第１の記憶手段と、
前記第２の物理的特徴データに関連付けられた複数の色データがあらかじめ記憶された第２の記憶手段と、
前記検出された第１の物理的特徴データに応じて前記第１の記憶手段から１つの画像サイズデータを取得し、この画像サイズデータに対応させて前記抽出された代表画像データを縮小するとともに、前記検出された第２の物理的特徴データに応じて前記第２の記憶手段から１つの色データを取得してこの色データで所定の画像枠形状データを色付けし、この色付けされた画像枠形状データを前記縮小された代表画像データに組み合わせて画像枠付きサムネイル画像を生成する画像加工手段と、
前記生成された画像枠付きサムネイル画像を一覧画面として構成するために前記メモリ手段に記憶する画像合成手段とを備え、
前記メモリ手段に記憶された画像枠付きサムネイル画像の一覧画面を前記表示手段に表示するように構成したことを特徴とする。
【００１０】
また、本発明は、映像信号と音声信号とからなる複数のコンテンツから、それぞれ生成された複数のサムネイル画像を一覧画面としてメモリ手段に記憶し、この記憶されたサムネイル画像の一覧画面を表示手段に表示する映像表示装置において、
前記コンテンツの音声信号から、第１及び第２の物理的特徴データを検出する特徴検出手段と、
前記コンテンツの映像信号から、前記第１及び第２の物理的特徴データが検出されたタイミングに応じた所定の代表画像データを抽出する代表画像抽出手段と、
前記第１の物理的特徴データに関連付けられた複数の画像枠形状データがあらかじめ記憶された第１の記憶手段と、
前記第２の物理的特徴データに関連付けられた複数の色データがあらかじめ記憶された第２の記憶手段と、
前記検出された第１の物理的特徴データに応じて前記第１の記憶手段から１つの画像枠形状データを取得し、この画像枠形状データに対応させて前記抽出された代表画像データを縮小するとともに、前記検出された第２の物理的特徴データに応じて前記第２の記憶手段から１つの色データを取得してこの色データで前記取得された画像枠形状データを色付けし、この色付けされた画像枠形状データを前記縮小された代表画像データに組み合わせて画像枠付きサムネイル画像を生成する画像加工手段と、
前記生成された画像枠付きサムネイル画像を一覧画面として構成するために前記メモリ手段に記憶する画像合成手段とを備え、
前記メモリ手段に記憶された画像枠付きサムネイル画像の一覧画面を前記表示手段に表示するように構成したことを特徴とする。
【発明の効果】
【００１１】
本発明によれば、コンテンツを代表する代表画像が、音声信号の第１の物理的特徴に対応付けられた画像サイズ又は枠形状を持つ画像に縮小され、かつ代表画像が音声信号の第２の物理的特徴に対応付けられた色で枠付けするか又は枠形状に色を付けたサムネイル画像が生成されるので、表示手段に一覧表示された画面を見るだけで画像の内容を容易に把握することが可能になる。
【発明を実施するための最良の形態】
【００１２】
以下、本発明を図面に示す好適な実施の形態に基づいて詳細に説明する。
＜第１の実施の形態＞
図１は本発明に係る映像表示方法を実施する映像表示装置の機能ブロック図である。図１において、記録媒体１１上には映像信号及び音声信号を一組とする複数のコンテンツが記録されている。これらのコンテンツからそれぞれを代表するサムネイル画像を生成して表示手段１９に表示するに当たり、特徴検出手段１２が記録媒体１１に記録されたコンテンツの音声信号を取得し、コンテンツごとに音声信号の第１の物理的特徴Ｘ及び第２の物理的特徴Ｙを算出する。ここで、音声信号の物理的特徴とは、音声信号波形から得られる所定のパラメータ値であり、本実施の形態においては、単位時間当たりの平均出力レベルと平均周波数とを例として説明する。また、代表画像抽出手段１３が、第１及び第２の物理的特徴が算出される音声信号と組になった映像信号を取得し、その映像信号が含まれるコンテンツを代表する代表画像を抽出する。代表画像は、映像信号がＭＰＥＧ方式である場合は、Ｉフレームを用いるのが望ましい。代表画像を抽出するとき、コンテンツの中のどの位置の映像画像を抽出するかを決定するためにユーザが操作する位置指定手段１４が設けられている。位置指定手段１４では、代表画像の候補を表示させて、ユーザが所望の画像を選択するようにして代表画像を抽出する。第１の記憶手段１５には音声信号の物理的特徴Ｘに対応付けて、あらかじめ用意してある複数の画像サイズ又はあらかじめ用意してある複数の枠形状がテーブルとして記憶され、第２の記憶手段１６には音声信号の物理的特徴Ｙに対応付けて、あらかじめ用意してある複数の色がテーブルとして記憶されている。画像加工手段１７は第１の記憶手段１５を参照して代表画像抽出手段１３で抽出された代表画像を音声信号の物理的特徴Ｘに対応付けられた画像サイズ又は枠形状を持つ画像に縮小し、かつ第２の記憶手段１６を参照して代表画像に対して物理的特徴Ｙに対応付けられた色で枠付けするか又は枠形状に色を付けて、コンテンツごとにサムネイル画像を生成する。画像合成手段１８は画像加工手段１７で生成された複数のサムネイル画像を合成して一覧画面に表示するようにメモリに記憶させ、記憶された複数のサムネイル画像を表示手段１９に表示させる。
【００１３】
図２は図１に示した映像表示装置の機能を実現する第１の実施の形態の具体的な構成例を示すブロック図である。図２において、ＨＤＤ１０１、メモリ１０２、画像処理部１０３及びＣＰＵ１０４がバスライン１０５によって互いに信号の授受が可能に接続されている。このうち、記録媒体としてのＨＤＤ１０１には映像信号及び音声信号を一組とする複数のコンテンツが記録されている。メモリ１０２には音声信号の平均出力レベルと画像のサイズとが対応付けられてテーブルとして記憶され、さらに音声信号の平均周波数と色とが対応付けられてテーブルとして記憶されている。画像処理部１０３はＣＰＵ１０４の制御の下で、前述した代表画像の抽出、サムネイル画像の生成、一覧画面への合成の各処理を実行するものである。なお、図２においては図１に示した位置指定手段１４及び表示手段１９の図示を省略している。
【００１４】
上記のように構成された映像表示装置の第１の実施の形態の動作について、図３〜図６をも参照して、ＣＰＵ１０４の具体的処理手順の一例を示す図７のフローチャートに従って説明する。ここで、図３はＨＤＤ１０１に記録された音声信号のエンベロープ、図４は音声信号の平均出力レベルと画像のサイズとの対応を示す図表、図５は音声信号の平均周波数と色との対応を示す図表、図６はサムネイル画像を一覧表示した画面例である。
【００１５】
まず、ＨＤＤ１０１には、圧縮された映像信号と音声信号とを含む３個のＶＯＢ（Video Object）ファイルがVTS_01_1.VOB、VTS_01_2.VOB、VTS_01_3.VOBとして記録されている。ＣＰＵ１０４はステップＳ６０１でＨＤＤ１０１に記録されたＶＯＢファイルの音声信号を取り出して復号する。復号された音声信号の例を図３に示す。続いて、ステップＳ６０２では、復号された音声信号から平均出力レベルと平均周波数とを周知技術を用いて検出する。一例として、VTS_01_1.VOBファイルから取り出した音声信号の平均出力レベルが−２ｄＢ、平均周波数が７５０Ｈｚであったとする。そこで、ステップＳ６０３でメモリ１０２に記憶された平均出力レベルと画像サイズとの関係を示すテーブル（図４）を参照して画像サイズを「２４０×１８０」と決定し、続いて、ステップＳ６０４でメモリ１０２に記憶された平均周波数と色との関係を示すテーブル（図５）を参照して枠の色を「緑」と決定する。もし、VTS_01_1.VOBファイルから取り出した音声信号の平均レベルが図４の「−３〜０（ｄＢ）」以外の範囲で、平均周波数が図５の「５００〜１０００（Ｈｚ）以外の範囲であれば、画像サイズは他の値に決定され、枠の色も他の色に決定される。
【００１６】
次に、ステップＳ６０５でＶＯＢファイルから代表画像を抽出する。ステップＳ６０３で決定した画像サイズは「２４０×１８０」であるので、ステップＳ６０６ではその大きさに代表画像を縮小する。続いて、ステップＳ６０４で決定した枠の色は「緑」であるので、ステップＳ６０７では縮小画像に緑の枠付けをする。次に、ステップＳ６０８で複数のサムネイル画像を合成し、一覧画面に表示するためにメモリ１０２に記憶させる。次に、ステップＳ６０９でＨＤＤ１０１に記録されたすべてのＶＯＢファイルについての処理が終わったか否かを判定し、終わっていないと判定したときには他のＶＯＢファイルについてステップＳ６０１〜Ｓ６０９の処理を繰り返して実行し、ＨＤＤ１０１に記録されたすべてのＶＯＢファイルについての処理を終わったと判定した場合にはステップＳ６１０の処理に進み、ここでメモリ１０２上で合成された一覧画面を出力する。図６は一覧画面の表示例であり、表示画面５００上に横に並べて表示された縮小画像５０１はファイルVTS_01_1.VOBを示し、縮小画像５０２はファイルVTS_01_2.VOBを示し、縮小画像５０３はファイルVTS_01_3.VOBを示している。
【００１７】
この結果、音の大きいファイルVTS_01_1.VOBに対しては相対的に大きな縮小画像５０１として表示され、音の小さいファイルVTS_01_2.VOBに対しては相対的に小さな縮小画像５０２として表示される。また、音の低いファイルに対しては、青い色の枠が付けられて表示され、音の高いファイルに対しては赤い色の枠が付けられて表示される。これにより、縮小画像が大きければ動きが激しかったり盛り上がりのある場面であることが予測できる。また、枠の色が青に近づくほど落ち着いた場面であることが予測できる。
【００１８】
以上のように、本発明の第１の実施の形態によれば、表示手段に一覧表示された画面を見るだけでそれぞれの画像の内容を容易に把握することが可能になる。
【００１９】
＜第２の実施の形態＞
上述した第１の実施の形態は、音声信号の平均出力レベルの相違に対して画像サイズを異ならせるとともに、音声信号の平均周波数の相違に対して枠の色を異ならせたが、縮小される画像サイズを一定にしたままで音声信号の平均出力レベルの相違に対して枠の太さを異ならせるとともに、音声信号の平均周波数の相違に対して枠の色を異ならせるようにしても上述したと同様な予測が可能になる。第２の実施の形態は、このように、音声信号の物理的特徴に応じて枠の太さとその色を異ならせたサムネイル画像を表示させるように構成したものである。ここで、第１の実施の形態が、図４に示すように、音声信号の平均出力レベルと画像サイズとを対応させたテーブルをメモリ１０２に記憶させたのに対して、第２の実施の形態では、図８に示すように、音声信号の平均出力レベルと枠の太さとを対応させたテーブルをメモリ１０２に記憶させている。これ以外は第１の実施の形態とハードウェア上で同一に構成され、これに対応するＣＰＵ１０４の処理手順が異なっている。
【００２０】
上記のように構成された第２の実施の形態の動作について、図８、図９をも参照して、ＣＰＵ１０４の具体的な処理手順の一例を示す図１０のフローチャートに従って説明する。ここで、図８は音声信号の平均出力レベルと枠の太さとの対応を示す図表、図９はサムネイル画像を一覧表示した画面例である。
【００２１】
まず、ＣＰＵ１０４はステップＳ９０１でＨＤＤ１０１に記録されたＶＯＢファイルの音声信号を取り出して復号する。続いて、ステップＳ９０２では、復号された音声信号から平均出力レベルと平均周波数とを周知技術を用いて検出する。一例として、VTS_01_1.VOBファイルから取り出した音声信号の平均レベルが−２ｄＢ、平均周波数が７５０Ｈｚであったとする。そこで、ステップＳ９０３でメモリ１０２に記憶された平均出力レベルと枠の太さとの関係を示すテーブル（図８）を参照して枠の太さを「２０」と決定し、続いて、ステップＳ９０４でメモリ１０２に記憶された平均周波数と色との関係を示すテーブル（図５）を参照して枠の色を「緑」と決定する。もし、VTS_01_1.VOBファイルから取り出した音声信号の平均レベルが図８の「−３〜０（ｄＢ）」以外の範囲で、平均周波数が図５の「５００〜１０００（Ｈｚ）以外の範囲であれば、枠の太さは他の値に決定され、枠の色も他の色に決定される。
【００２２】
次に、ステップＳ９０５でＶＯＢファイルから代表画像を抽出する。ステップＳ９０６では、あらかじめ設定された大きさに代表画像を縮小する。続いて、ステップＳ９０４で決定した枠の色は「緑」であるので、ステップＳ９０７では縮小画像に緑の枠付けをする。次に、ステップＳ９０８で複数のサムネイル画像を合成して一覧画面に表示するようにメモリ１０２上に記憶させる。次に、ステップＳ９０９でＨＤＤ１０１に記録されたすべてのＶＯＢファイルについての処理が終わったか否かを判定し、終わっていないと判定したときには他のＶＯＢファイルについてステップＳ９０１〜Ｓ９０９の処理を繰り返して実行し、ＨＤＤ１０１に記録されたすべてのＶＯＢファイルについての処理を終わったと判定した場合にはステップＳ９１０の処理に進み、ここでメモリ１０２上で合成された一覧画面を出力する。図９は一覧画面の表示例であり、表示画面８００上に横に並べて表示された縮小画像８０１はファイルVTS_01_1.VOBを示し、縮小画像８０２はファイルVTS_01_2.VOBを示し、縮小画像８０３はファイルVTS_01_3.VOBを示している。
【００２３】
この結果、音の大きいファイルVTS_01_1.VOBに対しては相対的に枠の太い縮小画像８０１として表示され、音の小さいファイルVTS_01_2.VOBに対しては相対的に枠の細い縮小画像８０２として表示される。また、音の低いファイルに対しては、青い色の枠が付けられて表示され、音の高いファイルに対しては赤い色の枠が付けられて表示される。これにより、縮小画像の枠が太ければ動きが激しかったり盛り上がりのある場面であることが予測できる。また、枠の色が青に近づくほど落ち着いた場面であることが予測できる。
【００２４】
以上のように、本発明の第２の実施の形態によれば、表示手段に一覧表示された画面を見るだけでそれぞれの画像の内容を容易に把握することが可能になる。
【００２５】
なお、上述した各実施の形態では、音声信号の第１の物理的特徴として平均出力レベルを、第２の物理的特徴として平均周波数をそれぞれ算出したが、第１の物理的特徴として平均周波数を、第２の物理的特徴として平均出力レベルをそれぞれ算出してもよく、あるいは、高調波の含まれ方に関係する音色や、音の高さの範囲である音域などを音声信号の物理的特徴としてもよい。また、上述した第１の実施の形態ではサムネイル画像のサイズ及び枠の色を変えてコンテンツの性質を表現し、第２の実施の形態ではサムネイル画像の枠の太さ及びその色を変えてコンテンツの性質を表現したが、枠の太さを変える代わりに枠自体を２重又は３重にしたり、あるいは枠自体に模様を付けるなど枠形状（パターン）を変えるようにしてもよい。
【図面の簡単な説明】
【００２６】
【図１】本発明に係る映像表示方法を実施する映像表示装置の機能ブロック図である。
【図２】図１に示した映像表示装置の機能を実現する第１の実施の形態の具体的な構成例を示すブロック図である。
【図３】第１の実施の形態の動作を説明するために、ハードディスクドライブに記録された音声信号のエンベロープである。
【図４】第１の実施の形態の構成を説明するために、音声信号の平均出力レベルと画像のサイズとの対応を示す図表である。
【図５】第１の実施の形態の構成を説明するために、音声信号の平均周波数と色との対応を示す図表である。
【図６】第１の実施の形態の動作を説明するために、サムネイル画像を一覧表示した画面例である。
【図７】第１の実施の形態の動作を説明するために、ＣＰＵの具体的処理手順の一例を示すフローチャートである。
【図８】第２の実施の形態の構成を説明するために、音声信号の平均出力レベルと枠の太さとの対応を示す図表である。
【図９】第２の実施の形態の動作を説明するために、サムネイル画像を一覧表示した画面例である。
【図１０】第２の実施の形態の動作を説明するために、ＣＰＵの具体的処理手順の一例を示すフローチャートである。
【図１１】従来技術を説明するために、サムネイル画像を表示装置の画面上に一覧表示した画面例である。
【符号の説明】
【００２７】
１１  記録媒体
１２  特徴検出手段
１３  代表画像抽出手段
１４  位置指定手段
１５  第１の記憶手段
１６  第２の記憶手段
１７  画像加工手段
１８  画像合成手段
１９  表示手段
１０１  ハードディスクドライブ（ＨＤＤ）
１０２  メモリ
１０３  画像処理部
１０４  ＣＰＵ
【図１】
2006340226.tif 000003
【図２】
2006340226.tif 000004
【図３】
2006340226.tif 000005
【図４】
2006340226.tif 000006
【図５】
2006340226.tif 000007
【図６】
2006340226.tif 000008
【図７】
2006340226.tif 000009
【図８】
2006340226.tif 000010
【図９】
2006340226.tif 000011
【図１０】
2006340226.tif 000012
【図１１】
2006340226.tif 000013